Podtech/llm-jp-corpus-v4-ja_patent huggingface dataset:
(57)【要約】【課題】  ファイル保管時の飛び出しや潜り込みの防止。【解決手段】    山型のファイルスペーサーを使用し、上部、下部もしくは前面、背面の密集度を均一にする。ファイルスペーサーの山型の角度を調整出来るようにした。【選択図】  図３
2010052317.tif 000002
【特許請求の範囲】
【請求項１】
ファイルブックの背表紙側とその反対側の厚みが均一でないために起こるファイルの潜
り込み、又は、飛び出し、を防止する目的で使用するファイルブック間スペーサーにおい
て図３の形態とし、ファイルスペーサーの角度を自在に調整する角度調整機構を持った構
造を特徴とするファイルスペーサー。
【発明の詳細な説明】
【技術分野】
【０００１】
ファイル保管時の整理整頓に関する。
【背景技術】
【０００２】
ファイルブックはその性格上、綴じる書類の増加を見越し、背表紙の厚みを決定してある。しかし書類を見越した枚数、ファイルして保管することは稀で、その為に背表紙側とその反対側の厚みが均一とならないで保管時のトラブルが起きる。
【発明の開示】
【発明が解決しようとする課題】
【０００３】
特に背表紙側を上にして保管する場合、上部の空間と下部の空間では密集度が著しく、ファイルブックは下部の空間に埋没して取り出し時に行方不明となる事がある。
【課題を解決するための手段】
【０００４】
本案は密集度の低い下部空間に図３の形態のスペーサーを設置することにより上部と下部の密集度を均一にし、ファイルブックの潜り込みを防止する。
【０００５】
上部と下部又は、前面と背面のスペースの密集率によりスペーサーの角度を自在として設置し、飛び出し、潜り込みを防止する。
【発明の効果】
【０００６】
ファイルブックの検索、取出しがスムースに行われる。
【図面の簡単な説明】
【０００７】
【図１】本案を未使用時のファイルの状況
【図２】本案を使用した場合のファイルの状況
【図３】本案の斜視図
【符号の説明】
【０００８】
１  ファイル
２  ファイルスペーサー
３  角度調整機構
【図１】
2010052317.tif 000003
【図２】
2010052317.tif 000004
【図３】
2010052317.tif 000005
(57)【要約】      （修正有）【課題】所謂粗シリコンと呼ばれる、純度９５〜９９質量％程度の金属シリコンの精製方法において、工業的にかつ安価に生産可能な、高純度の金属シリコンの精製方法を提供する。【解決手段】純度９５質量％以上の金属シリコン粒子を、酸素燃焼炎４を形成する燃焼炎ノズル２中央部に供給することで、シリコン中の不純物を除去し、高純度のシリコンを精製することを特徴とするシリコンの精製方法。シリコン粒子の径が１〜５００μｍである特徴も持つ。【選択図】図１
2010052952.tif 000002
【特許請求の範囲】
【請求項１】
純度９５質量％以上の金属シリコン粒子を、酸素燃焼炎を形成する燃焼炎ノズル中央部に供給することで、シリコン中の不純物を除去することを特徴とするシリコンの精製方法。
【請求項２】
シリコン粒子の径が１〜５００μｍであることを特徴とする請求項１に記載のシリコンの精製方法。
【発明の詳細な説明】
【技術分野】
【０００１】
本発明は、純度が９５〜９９質量％程度の、所謂粗シリコンを原料として、より高純度の金属シリコンに精製する方法に関するものである。
【背景技術】
【０００２】
近年、特に太陽電池の普及により、その主要な材料であるシリコンの需要は拡大している。シリコンは半導体材料として高純度のものが求められ、太陽電池用は半導体材料のＮＧ品や端材を使用することが多かった。しかし、半導体材料の精製法は高価であり、太陽電池用の需要が高まっていることから、太陽電池専用の生産や精製法が求められている。
【０００３】
例えば半導体に用いられるような高純度シリコンの精製法には、モノシランガス等を原料にしたプラズマＣＶＤ法(特許文献１参照)あるいは単結晶を原料にした赤外線や高周波誘導コイル加熱溶融法(特許文献２参照)等がある。
【０００４】
また、太陽電池などに利用可能なより安価な製造方法として、プラズマを用いる方法(特許文献３参照)が提案されている。
【０００５】
また、他に希薄な弗化水素酸中に浸漬して精製する方法(特許文献４参照)や溶融状態のシリコンにＡｒ、Ｈ２あるいはこれらの混合ガスに１ｖｏｌ％以下のＮ２を混合したガスを吹き込むことで精製する方法(特許文献５参照)等が提案されている。
【特許文献１】特開２００５−２４４０９８号公報
【特許文献２】米国特許第４１８８１７７号公報
【特許文献３】特開昭６３−２１８５０６号公報
【特許文献４】特開２００８−５０１８０号公報
【特許文献５】特開平５−３３０８１５号公報
【発明の開示】
【発明が解決しようとする課題】
【０００６】
例えば上記特開２００５−２４４０９８号公報や米国特許第４１８８１７７号公報に記載の方法は、非常に高価なものである上に、太陽電池用としては純度が高すぎて必要以上の精製が施されたものとなっている。
【０００７】
また、上記特開昭６３−２１８５０６号公報に記載のプラズマを用いる方法は、プラズマを用いるため高価なＡｒガスと電力を多量に消費するため精製コストが高くなる。
【０００８】
また、上記特開２００８−５０１８０号公報に記載の方法は、弗化水素酸の取り扱いや廃液処理などの問題点がある。
【０００９】
さらに、上記特開平５−３３０８１５号公報に記載の方法も、高価なＡｒガスを使用することや、Ｈ２ガスの取り扱い等、簡易な方法とは言い難い。
【００１０】
このように、シリコンの需要が高まっているのにもかかわらず、安価な方法で、かつ簡易で純度の高いシリコンを精製する方法は未だに得られていないのが現状である。
【課題を解決するための手段】
【００１１】
本発明は、純度９５質量％以上の金属シリコン粒子を、酸素燃焼炎を形成する燃焼炎ノズル中央部に供給することで、シリコン中の不純物を除去することを特徴とするシリコンの精製方法である。
【００１２】
また、前記シリコン粒子の径が１〜５００μｍであることを特徴とする上記のシリコンの精製方法である。
【発明の効果】
【００１３】
本発明によれば、大量の電力を消費せずに、純度９５質量％程度の粗シリコンから純度の高いシリコンを連続でかつ効率的に精製して得ることが可能となる。
【発明を実施するための最良の形態】
【００１４】
図１は、本発明を実施するのに用いる装置の基本的な構成の一例であり、９５質量％以上の金属シリコン粒子を燃焼炎ノズル２の中央部の原料供給口３から連続的に供給し、１５００〜３０００℃の酸素燃焼炎４を通過させる。この酸素燃焼炎を通過する間に金属シリコンは酸化されること無く瞬時に溶解するため、蒸気圧の高いＰ、Ｃａ、Ａｌ、Ｍｇなどの不純物は優先蒸発し、また酸素燃焼炎であるため酸化生成物の蒸気圧が高いＢやＣも気相への除去が可能となる。このことにより、金属シリコン中の不純物（特に、Ｂ、Ｃ、Ｐ）を除去できた精製シリコン６を排出口５より連続的に取り出すことが可能となる。
【００１５】
ここで、原料となる金属シリコン粒子の径は１〜５００μｍとする。金属シリコン粒子が１μｍ未満では金属シリコンの粉砕に多大な時間やコストがかかるため望ましくない。また５００μｍを超えると、原料供給時の空気搬送が困難となり、また酸素燃焼炎中での不純物の除去効率が悪くなるため好ましくない。より好ましくは１０〜３００μｍである。
【００１６】
酸素燃焼においては、火炎温度が好ましくはシリコンの融点である１４００℃以上で、かつシリコンの沸点である２３００℃以下になるように燃焼量などを調整する必要があり、また燃焼における酸素比は０．８０〜１．２０、シリコンの酸化や不純物の除去効率を考慮して好ましくは０．９０〜１．１０程度にする。
【００１７】
燃焼に使用する燃料はＬＮＧ、ＬＰＧや灯油などいずれでも良い。しかし、先に述べたように多くの不純物が蒸発されて除かれるとはいえ、精製したシリコンに出来る限り不純物が移行しないように、燃料中にはＢ、Ｃ、Ｐなどの不純物が少ない方が望ましい。
【図面の簡単な説明】
【００１８】
【図１】本発明の実施形態に係るシリコンの精製装置の模式縦断面図である。
【符号の説明】
【００１９】
１    シリコンの製造置
２    燃焼炎ノズル
３    原料供給口
４    酸素燃焼炎
５    精製シリコン排出口
６    精製シリコン
【図１】
2010052952.tif 000003
(57)【要約】【課題】  消去を必要とする幅に応じて、その幅に近い本体の部分を選択し使用することにより、能率的且つ無駄の少ない消去が可能な機能を持つ消しゴムを提供する。【解決手段】  消しゴム本体の外周に、例えば図１の１〜４、図８の５〜１０のように多くの異なる幅の頂陵部を持たせることにより、その中の適した幅の辺を選択し使用することで、消したい幅を能率的且つ無駄の少ない消去を可能とすることと、多辺形の平面図の型から抽出した多角柱を輪切りにして完成形が得られる経済性を特徴とする。【選択図】図１
2010052411.tif 000002
【特許請求の範囲】
【請求項１】
字消し部の幅になる頂陵部を本体の外周に多数設け、必要とする消し幅の頂陵部を適時選択し使用できることを特徴とし、多辺形の平面図の型から抽出した多角柱を輪切りにして完成形が得られる経済性を特徴とする消しゴム。
【発明の詳細な説明】
【技術分野】
【０００１】  本発明は、多くの字消し幅を外周の頂陵部に設けた消しゴムに関するものである。
【背景技術】
【０００２】  従来、消しゴムは直方体状をなすものが広く用いられてきた。【０００３】  しかし、近年、細部を消去する角部を８カ所以上設けた消しゴムも知られてきた。
【特許文献１】  特開２００４−３４６２４
【特許文献２】  特開２００５−２３１３７６
【特許文献３】  特開２００７−１５２７４６
【０００４】  角部は細かい部分を消すことには有効であるが、現実に消す場面では、点や細い線以外に、異なる幅の消去を要する場合が多い。【０００５】  未使用時の角部は細部を消去できるが、使用する度に面が次第に拡大し、その幅を一定に保つことは不可能である。【０００６】  消去を必要とする幅をその都度選択できないので、消去したいスペースを能率的且つ本体を無駄のなく使用することが、現状では不可能である。
【発明の開示】
【発明が解決しようとする課題】
【０００７】  現状の消しゴムでは、角部を多くしても必要とする幅を設定しておくことも、適した幅を選択し使用することも不可能である。【０００８】  本発明は、消しゴム本体に種々の幅の部分を設定し、使用者が必要に応じてその部分を選択して消去を可能にする消しゴムを提供するすると共に、経済的有利性を課題とする。
【課題を解決するための手段】
【０００９】  消しゴム本体の外周に、突出した種々の幅の頂陵部を設け、一定の型より心太のように抽出し、輪切りにすることにより完成する形状であることを特徴とする。【００１０】  突出した頂陵部は、同一の辺を直角方向に使用している限り、常に一定の太さが保たれている形状にする。
【発明の効果】
【００１１】  本発明によると、必要に応じた幅の辺の選択により、適した幅の能率的消去が可能になり、完成形が輪切りで得られることで経済的有利性を備える。【００１２】  その上、必要に応じた幅の辺の選択は、不必要な部分の消去に要する本体の摩滅を無くし、資源の無駄づかいを減少する。
【発明を実施するための最良の形態】
【００１３】  以下、本発明の実施の形態を図面に基づき詳細に説明する。【００１４】  図１は、本発明の第１実施形態の消しゴムの斜視図、図２は正面図、図３は背面図、図４は右側面図、図５は左側面図、図６は平面図、図７は底面図で、一定の型より心太のように材質を抽出し、輪切りにして複数生産できる形態にする。【００１５】  第１図の突出している頂陵部（１）、（２）、（３）、（４）に４種の幅を設定することにより、使用し続けても４カ所で一定の異なる幅の消去が可能な消しゴムになる。【００１６】  図８は、本発明の第２実施形態の消しゴムの斜視図、図９は正面図、図１０は背面図、図１１は右側面図、図１２は左側面図、図１３は平面図、図１４は底面図で、一定の型より心太のように材質を抽出し、輪切りにして複数生産できる形態にする。【００１７】  第８図の突出している頂陵部（５）、（６）、（７）、（８）、（９）、（１０）に６種の幅を設定することにより、使用し続けても６カ所で一定の異なる幅の消去が可能な消しゴムになる。【００１８】  本発明は、第１実施形態を他の多角形にも変形可能で、それに伴い字消し幅の種類も増減できるある。【００１９】  本発明には、同幅の頂陵部が２辺ずつあるので、他方の角部の使用により従来同様の細部消去も可能であり、従来同様のの消去機能も保持できる。
【図面の簡単な説明】
【００２０】
【図１】  本発明の第１実施形態の消しゴムを示す斜視図である。
【図２】  図１に示す消しゴムの正面図である。
【図３】  図１に示す消しゴムの背面図である。
【図４】  図１に示す消しゴムの右側面図である。
【図５】  図１に示す消しゴムの左側面図である。
【図６】  図１に示す消しゴムの平面図である。
【図７】  図１に示す消しゴムの底面図である。
【図８】  本発明の第２実施形態の消しゴムを示す斜視図である。
【図９】  図８に示す消しゴムの正面図である。
【図１０】  図８に示す消しゴムの背面図である。
【図１１】  図８に示す消しゴムの右側面図である。
【図１２】  図８に示す消しゴムの左側面図である。
【図１３】  図８に示す消しゴムの平面図である。
【図１４】  図８に示す消しゴムの底面図である。
【符号の説明】
【００２１】１、２、３、４                      第１実施形態の頂陵部
５、６、７、８、９、１０            第２実施形態の頂陵部
【図１】
2010052411.tif 000003
【図２】
2010052411.tif 000004
【図３】
2010052411.tif 000005
【図４】
2010052411.tif 000006
【図５】
2010052411.tif 000007
【図６】
2010052411.tif 000008
【図７】
2010052411.tif 000009
【図８】
2010052411.tif 000010
【図９】
2010052411.tif 000011
【図１０】
2010052411.tif 000012
【図１１】
2010052411.tif 000013
【図１２】
2010052411.tif 000014
【図１３】
2010052411.tif 000015
【図１４】
2010052411.tif 000016
(57)【要約】【課題】本発明は、従来のクリップのように厚く、挟む紙の厚さにより挟めなかったり、クリップだけが厚かったりしないようにすることを課題として研究を進めた。【解決手段】図３及び図４のような角度のない水平なバネと、軸に可動板を板が回転することができるくらいに取り付けたものと台板を、図５のように組み立てる。こうして組み立てられたクリップは、使用していない時はバネの厚みしかなく、紙を挟んでいるときは紙の厚さとバネの厚さのみになる。【選択図】図９
2010052409.tif 000002
【特許請求の範囲】
【請求項１】
従来のクリップのバネは、図１及び図２のようにクリップを差し込む方向に対してバネの巻いてある部分を直角においてバネの力を利用するように作られていた。
本発明は図３及び図４のような角度のない水平なバネをクリップを差し込む方向に対してバネの巻いてある部分を平行においてバネの力を利用するようにすることにより、使用していないときはほとんど厚みがなく、使用しているときは、ほぼ紙の厚さと同じになるクリップを作ることができるようになること。
【請求項２】
図５から図９のように軸に可動板を取り付けるとき、軸と板を完全に固定しないことにより図１０で軸を基点として可動板の左右が上下に動くことになる。
上記により、紙を挟んだときに紙を板の面全体で挟むことができるようになる。
【請求項３】
台板と可動板の接する面に凹凸を付けることにより、挟んだ紙がずれにくくなる。
【請求項４】
台板と可動板の接する面にゴム等の滑りにくい素材を取り付けることにより、挟んだ紙がずれにくくなる。
【請求項５】
可動板の形を掌、足のひら、動物、植物等の物の形や文字の形することにより、クリップする書類の分類がしやすくなる。
【請求項６】
図１１のように台板の端に穴を開け、図１２のような上部に開閉する輪を付けたバインダーを作成することにより、書類をクリップしたままバインダーに綴じることができる。
【発明の詳細な説明】
【技術分野】
【０００１】本発明は、クリップを使用していない時はほぼ平らで、紙を挟んでいるときは紙の厚さとほぼ同じになり、薄い書類から厚い書類まで幅広く使えるクリップを作成できるようにしたものである。
【背景技術】
【０００２】従来のクリップは、使用していない時でも厚みがあり邪魔になった。また、挟む紙の厚さにより持っているクリップが使えなかったりした。
【発明の開示】
【発明が解決しようとする課題】
【０００３】本発明は、従来のクリップのように厚く、挟む紙の厚さにより挟めなかったり、クリップだけが厚かったりしないようにすることを課題として研究を進めた。
【課題を解決するための手段】
【０００４】図３及び図４のような角度のない水平なバネと、軸に可動板を板が回転することができるくらいに取り付けたものと台板を、図５のように組み立てる。
こうして組み立てられたクリップは、使用していない時はバネの厚みしかなく、紙を挟んでいるときは紙の厚さとバネの厚さのみになる。
【発明の効果】
【０００５】クリップを使用していない時には平らで収納しやすく、使用している時には挟む紙の厚さとほぼ同じ厚さになるクリップであるため邪魔にならない。
また、クリップが紙の厚さとほぼ同じになるため、クリップをしたままバインダーに綴ることができる。
【図面の簡単な説明】
【０００６】
【図１】従来のクリップのバネの側面図である
【図２】従来のクリップのバネの平面図である
【図３】本発明のクリップのバネの側面図である
【図４】本発明のクリップのバネの平面図である
【図５】本発明のクリップを全て組み立てた状態の平面図である
【図６】本発明のクリップを全て組み立て、閉じた状態の側面図である
【図７】本発明のクリップを全て組み立て、開いた状態の側面図である
【図８】本発明のクリップを全て組み立て、閉じた状態の全体図である
【図９】本発明のクリップを全て組み立て、開いた状態の全体図である
【図１０】可動板と軸の取り付け部分の側面図である
【図１１】台板の端に穴を開けた状態の平面図である
【図１２】上部に輪を取り付けたバインダーである
【符号の説明】
【０００７】１  台板
２  可動板
３  軸
４  バネ
５  バネ固定板
６  バインダー
７  バインダーの輪
８  書類
９  バインダーに綴じる穴
【図１】
2010052409.tif 000003
【図２】
2010052409.tif 000004
【図３】
2010052409.tif 000005
【図４】
2010052409.tif 000006
【図５】
2010052409.tif 000007
【図６】
2010052409.tif 000008
【図７】
2010052409.tif 000009
【図８】
2010052409.tif 000010
【図９】
2010052409.tif 000011
【図１０】
2010052409.tif 000012
【図１１】
2010052409.tif 000013
【図１２】
2010052409.tif 000014
(57)【要約】【課題】  棒状の新聞ホルダーを使って手で持って新聞を読むときに、持ちやすく腕が疲れにくく楽になるように、新聞ホルダーの下部の一端に取っ手を設けた取っ手付き新聞ホルダーを提供する。【解決手段】棒状の新聞ホルダー（１）の下部の一端に取っ手（２）を設けた取っ手つき新聞ホルダーを特徴とする。【選択図】図２
2010052422.tif 000002
【特許請求の範囲】
【請求項１】
棒状の新聞ホルダーの下部の一端に取っ手を設けた取っ手つき新聞ホルダー。
【発明の詳細な説明】
【技術分野】
【０００１】  この発明は、棒状の新聞ホルダーの下部の一端に取っ手を設けた取っ手つき新聞ホルダーに関するものである。
【背景技術】
【０００２】  従来、棒状の新聞ホルダーは手で持つ時に新聞と接触している箇所を持つ様になっていた。
【発明の開示】
【発明が解決しようとする課題】
【０００３】  これは、次のような欠点があった。
従来、棒状の新聞ホルダーを取り付けた新聞を手に持って読むときに、ある程度の高さまで手と腕をあげる必要があり疲れた。特に新聞の下段記事を読むとき目線にもってくるのでさらに手と腕ををあげる必要があり腕が疲れた。そして、常に新聞紙を触っているためインク汚れが手に付いた。
本発明は、以上のような欠点をなくすためになされたものである。
【課題を解決するための手段】
【０００４】  棒状の新聞ホルダー（１）の下部の一端に取っ手（２）を設ける。
本発明は、以上の構成によりなる取っ手つき新聞ホルダーである。
【発明の効果】
【０００５】  新聞ホルダーの下方部に取っ手が付いているので新聞を手に持って読むときに持ち安く手と腕をあげる必要が少ないので、従来のものと比べ腕が疲れにくく楽になる。新聞の下段記事を読むときもそれほど手と腕をあげる必要がないので、従来のものと比べ腕が疲れにくく楽になる。
直接新聞紙を触る時間が減るので手に付くインク汚れを軽減できる。
【発明を実施するための最良の形態】
【０００６】  以下、本発明を実施するための最良の形態について説明する。
棒状の新聞ホルダー（１）の下部の一端に、手で握りやすい形大きさの取っ手（２）を設ける。
本発明は、以上のような構造である。
これを使用するときは、新聞紙を付けて取っ手を持って、新聞を読めばよい。
【図面の簡単な説明】
【０００７】
【図１】本発明の正面図である。
【図２】本発明の実施例による正面図である。
【符号の説明】
【０００８】１新聞ホルダー
２取っ手
３新聞紙
【図１】
2010052422.tif 000003
【図２】
2010052422.tif 000004
(57)【要約】【課題】電気器具の配線コードにおいて、多数のコードや、余剰コードを視感的にも良好で且つ簡素に収納出来る事を可能とする収納カバーを提供する。【解決手段】設置形態としては主に壁面に密着する様に設置したり、又、家具の側近に配置するなど、主に部屋の壁づたいに設置して利用する。収納カバーの形状としては、長方形の断面で上面を開口部とし、その上面開口部に開閉自在となる蓋を設け、その蓋を開ける事によって上から容易にコードを収納する事が出来る。又、収納カバーの長さは５０ｃｍ程度とし、連結部３を設ける事によって自在に延長する事が出来る。又、随所に開口部５、プラグスペース６を設ける事により、コードの配線を電気器具の直近まで収納する事が出来る。又、収納カバーの内部にはコードを巻き取る為のコードフック４を設け、余剰コードも容易に収納可能となる。更に蓋に小さな穴をあけ、結束線にてＡＣアダプター等を固定する事も出来る。【選択図】図１
2010074925.tif 000002
【特許請求の範囲】
【請求項１】
複数の配線コードの収納カバーにおいて、その収納カバーを連結する事によって長さを自在に出来る事を特徴とするコード配線収納カバー。
【請求項２】
電源プラグ及び電気コードの出し入れ口を随所に備える事を特徴とする請求項１のコード配線収納カバー。
【請求項３】
配線コードの巻き取り用フックを内部に備えた事を特徴とするコード配線収納カバー。
【発明の詳細な説明】
【技術分野】
【０００１】
本発明は、電気コードを配線する際に利用されるところの収納カバーに関する。
【背景技術】
【０００２】
家庭電化製品を使用する際に使われる電源コード等において、コードが多数あり、又、余剰コードも生じコンセント周りやテレビの裏側等非常に乱雑な状態が多くなる。従って視感的にも悪く掃除の際も大きな支障となる。又、(例えば、特許文献１参照。)の様に、ボックス形状であったりする。
【特許文献１】特開２００５−１４２５１９号公報
【発明の開示】
【発明が解決しようとする課題】
【０００３】
しかし、壁づたいに多く配線するコードや、家具の前を配線する場合等、長い距離をカバー出来るものではない。そこで配線の長さにも対応でき、余剰コードの収納もでき、又、任意の位置での配線が可能となる収納カバーを提供する。
【課題を解決するための手段】
【０００４】
本発明による収納カバーは、壁に密着させて設置したり家具の側近に配置するなど、主に部屋の壁づたいに設置して利用する形態のものである。長さは５０ｃｍ程度で連結部をもち、連結させる事により延長を可能とし、又、切断する事もでき、よって任意の長さにて設置する事が出来る。又、収納カバーの上面は開閉式の蓋状となる為、開放状態で容易にコードを収納する事が出来る。収納カバーの内部には、余剰コードを巻き取る為のフックを設けて、余分なコードが収納カバーの外へ出ない様工夫されている。又、収納カバーの随所にコード引き込み口がある為、電気器具の直近でコードを収納する事が出来る。又、蓋に小さな穴を適宜に設ける事により、ＡＣアダプター等を結束線にて固定する事が出来る。
【発明の効果】
【０００５】
よって、多数のコードや余剰コードを収納でき、視感的に良好であり掃除も容易に行う事が出来る。特に連結し長い形状で使用する事も出来る為、オーディオ機器の様に配線が複雑で長い場合でも対応する事が出来る。
【発明を実施するための最良の形態】
【０００６】
図１〜図５において説明すると、形態としては、本体を縦５ｃｍ横４ｃｍの上面部をもたない長方形の断面で長さ５０ｃｍの形状とし、その上面開口部に開閉自在の蓋２を設ける。その収納カバーは連結部３を擁する事により、図１の様に連結して延長する事が出来る。又、本体より蓋の長さを数ｃｍ短くする事で、本体の上部に開口部５を設ける事が出来る。又、正面となる壁面にはプラグを通す為の小さな開口部であるプラグスペース６を数ヶ所設ける。これは多少の埃は入るものの通気性を得る為にも効果的と思われる。尚、余剰コードの巻き取り用として、図３に示すコードフック４を設ける。最後に蓋には結束線を通す為の結束孔７を設ける事によって、結束線を用いＡＣアダプターや電気器具付属の小物類、又、延長コードのタップ等を固定する事が出来る。
【図面の簡単な説明】
【０００７】
【図１】本発明によるコード配線収納カバーの連結時の斜視図
【図２】本発明によるコード配線収納カバーの正面図
【図３】本発明によるコード配線収納カバーの断面図
【図４】本発明によるコード配線収納カバーの平面図
【図５】本発明によるコード配線収納カバーの開口時平面図
【符号の説明】
【０００８】
１  本体
２  蓋
３  連結部
４  コードフック
５  開口部
６  プラグスペース
７  結束孔
【図１】
2010074925.tif 000003
【図２】
2010074925.tif 000004
【図３】
2010074925.tif 000005
【図４】
2010074925.tif 000006
【図５】
2010074925.tif 000007
(57)【要約】【課題】電源線や信号線などに、後から、カールコードの機能を持たせることができ、直線的なコードのうち必要なところに部分的にカールコードの機能を持たせることができるカールケースを提供する。【解決手段】このカールケース１は、細い円筒形状を有し、全体が螺旋状をなすことで伸縮性を有し、円筒形状の側面に長手方向へ１条のスリット７が形成される。そして、スリット７から内部にコード類５を嵌め込んで、一体としてカールコードの働きを生じさせる。【選択図】図１
2010074998.tif 000002
【特許請求の範囲】
【請求項１】
細い筒形状を有し、全体が螺旋状をなすことで伸縮性を有し、前記筒形状の側面に長手方向へ１条のスリットが形成されることで、内部にコード類を嵌め込んでカールコードの働きを生じさせることを特徴とするカールケース。
【発明の詳細な説明】
【技術分野】
【０００１】
この発明は、内部にコード類を嵌め込んでカールコードの働きを生じさせるケースに関する。
【背景技術】
【０００２】
カールコードは種々の電気製品に用いられる。
例えば、電話機の本体には、信号線としてのカールコードを介して受話器が接続される。カールコードは伸縮性に優れ、受話器を使用するときには使用の距離だけ伸び、使用しないときは縮んで邪魔にならない。
なお、特許文献１には、複数の電線を束ねる治具としてのカールコードが記載される。      
【特許文献１】特開平１０−２４８１４３
【発明の開示】
【発明が解決しようとする課題】
【０００３】
カールコードを電気製品などの信号線や電源線に使用すれば、伸縮性に優れ、使用するときには使用の距離だけ伸び、使用しないときは縮んで邪魔にならない。
しかしながら、電気製品に既に取付けてある電源線や信号線を、後から、カールコードに交換するには、新品のカールコードが必要であり、交換作業も面倒であり、コストが高くなる。また、直線コードのうち必要なところをカールコードにすることはできない。
この発明は、以上の問題点を解決するために、電源線や信号線などに、後から、カールコードの機能を持たせることができ、直線的なコードのうち必要なところに部分的にカールコードの機能を持たせることができるカールケースを提供することを目的とする。
【課題を解決するための手段】
【０００４】
以上の課題を解決するために、本発明は、細い筒形状を有し、全体が螺旋状をなすことで伸縮性を有し、前記筒形状の側面に長手方向へ１条のスリットが形成されることで、内部にコード類を嵌め込んでカールコードの働きを生じさせることを特徴とするカールケースである。
【発明の効果】
【０００５】
本発明によれば、カールケースの内部へ、スリットを介して、コード類を嵌め込むことで、カールケースの伸縮性により、カールコードの働きを生じさせることができる。
【発明を実施するための最良の形態】
【０００６】
この発明の実施形態にかかるカールケースを、図１および図２に示す。
図２（Ａ）（Ｂ）に示すように、カールケース１は、細い円筒形状を有し、内部は空洞３である。円筒の径は、コード類５の径よりもやや大きく、また、種々のコード類５の断面形状が円形や四角形であることに対応できるように、余裕を持って大きくする。
また、全体が螺旋状をなすことで伸縮性を有する。材質はプラスチックなどが用いられ、材質の固さは、伸縮する力の必要な大きさに応じて、設定される。
【０００７】
図２（Ａ）に示すように、円筒形状の側面には、長手方向へ１条のスリット７が形成される。このスリット７から、内部へ、コード類５が嵌め込まれる。スリット７の幅は、材質や径の大きさによって、さらにはコード類５の固さによって、設定され、嵌め込みが可能で、スリット７からコード類５が外れにくい寸法に設定される。
【０００８】
カールケース１の端部は螺旋形状でなくなり、カールケース１の長手方向に向かう短い直線部分９となる。これにより、カールケース１の端部が螺旋形状のまま終わっている場合に比べ、端部において、コード類５が局部的に曲げられる力を受けずに済み、コード類５を痛めない。
【０００９】
図２（Ｃ）に示すコード類５とは、電源線や信号線などの直線的なコードをいい、断面は円形や四角形、８の字形など、形を問わない。
【００１０】
「実施形態の効果」
図１（Ａ）（Ｂ）に示すように、この実施形態によれば、コード類５の長手方向部分のうち、カールコードの機能を持たせたい部分を、カールケース１の内部へ嵌め込む。このとき、その部分を、カールケース１のスリット７の端部から、指で、長手方向へ向かって、順に押し込むと、楽に嵌め込まれる。嵌め込まれカールケース１と一体になったコード類５は、カールコードとほぼ同じ機能を有する。
【００１１】
このように、カールコードへ嵌め込むだけで、電源線や信号線に、後から、カールコードの機能を持たせることができる。また、電源線や信号線の直線的なコードのうち必要なところを、カールケース１に嵌め込むことで、部分的にカールコードの機能を持たせることができる。
【図面の簡単な説明】
【００１２】
【図１】この発明の一実施形態を示すもので、（Ａ）は、嵌め込まれカールケースと一体になったコード類の全体斜視図、（Ｂ）は（Ａ）の断面図である。
【図２】図１の分解した状態を示すもので、（Ａ）は、カールケースの全体斜視図、（Ｂ）は、（Ａ）の断面図、（Ｃ）はコード類の斜視図である。
【符号の説明】
【００１３】
１…カールケース、３…空洞、５…コード類、７…スリット、９…直線部分。
【図１】
2010074998.tif 000003
【図２】
2010074998.tif 000004
(57)【要約】【課題】発信元情報に基づいて、接続、録音、転送、着信拒否の処理を可能とする。【解決手段】ＳＩＰサーバーとＳＩＰ端末の間にＤＢを設ける、ＩＮＶＩＴＥをＳＩＰ電話端末に送る前、発信元の情報を参照して処理を行う。ＰＳＴＮ発信元からＳＩＰ-Server1へＩＮＶＩＴＥ  Ｆ1を送り、ＳＩＰ-Server1が受けとったＩＮＶＩＴＥをＳＩＰ-Server2へＩＮＶＩＴＥを送った後、ＳＩＰ-Server2から着信先（ＳＩＰ端末）にＩＮＶＩＴＥ  Ｆ3を送るかどうかをＤＢの情報を参照する。  ＤＢに事前登録の発信元の情報があ場合、着信先の着信先（ＳＩＰ端末）にＩＮＶＩＴＥを送る。ＤＢに事前登録された発信元情報がない場合、録音、転送、着信拒否の処理を行う。【選択図】図１
2010074358.tif 000002
【特許請求の範囲】
【請求項１】
ＳＩＰ（Ｓｅｓｓｉｏｎ  Ｉｎｉｔａｔｉｏｎ  Ｐｒｏｔｏｃｏｌ）を用いて通信するIP電話システムにおいて、該システムは、発信者の番号をＤＢ（データーベース）に参照し、登録ずみの番号であれば、着信の許可をする。
ＤＢ（データーベース）に登録されていない番号であれば、発信元情報に基づいて、録音、転送、着信拒否の処理を行なうＩＰ電話システム。
【請求項２】
前記処理その１、ＤＢに参照し、ＳＩＰサーバーに録音
【請求項３】
前記処理その２、ＤＢに参照し、第三者に転送
【請求項４】
前記処理その３、ＤＢに参照し、特定の相手を拒否する
【発明の詳細な説明】
【技術分野】
【０００１】
本発明は、ＳＩＰ（Ｓｅｓｓｉｏｎ  Ｉｎｉｔａｔｉｏｎ  Ｐｒｏｔｏｃｏｌ）によって通信を行なうIP電話システムを利用して、発信者情報に基づいて接続、録音、転送、着信拒否の処理を行なうＩＰ電話システムに関するものである。
【背景技術】
【０００２】
一般に、従来のＩＰ（Ｉｎｔｅｒｎｅｔ  ｐｒｏｔｏｃｏｌ）電話システムでは、発信者情報がそのまま発信先に送られる。
【非特許文献１】”SessionInitiation Protocol Call Control-TransＦer”、TransＦerwith Consultation Hold、chapter 6 on page 18、ＳＩＰPING WG Internet-DraＦt (draＦt-ietＦ-ＳＩＰping-cc-transＦer-06)
【発明の開示】
【発明が解決しようとする課題】
【０００３】
ＩＮＶＩＴＥ情報をＳＩＰ端末に送る前、ＤＢの情報を参照する。
自動判断により、処理を行う。
最終着信先にＩＮＶＩＴＥを送るかどうかのフィルタをつける。
【課題を解決するための手段】
【０００４】
ＳＩＰサーバーとＳＩＰ端末の間にＤＢを設ける、ＩＮＶＩＴＥをＳＩＰ電話端末に送る前に、発信元の情報を参照して処理を行う。
【発明の効果】
【０００５】
ＳＩＰの発信情報を詳細に処理できる。発信元を登録データーは大幅に増加できる。
【発明を実施するための最良の形態】
【０００６】
安定したインターネット環境
【実施例１】
【０００７】
ＰＳＴＮ発信元からＳＩＰ-Server1へＩＮＶＩＴＥ  Ｆ1を送り、ＳＩＰ-Server1が受けとったＩＮＶＩＴＥをＳＩＰ-Server2へＩＮＶＩＴＥを送った後、ＳＩＰ-Server2から着信先（ＳＩＰ端末）にＩＮＶＩＴＥ  Ｆ3を送るかどうかをＤＢの情報を参照する。
ＤＢに事前登録の発信元の情報がある場合、着信先の着信先（ＳＩＰ端末）にＩＮＶＩＴＥを送る。ＤＢに事前登録された発信元情報がない場合、録音、転送、着信拒否の処理を行う。
【産業上の利用可能性】
【０００８】
電話の安全使用上大きな産業価値がある。迷惑電話、詐欺電話などを自動防止できる。
【図面の簡単な説明】
【０００９】
【図１】図１は発信元からの情報をＤＢに介し、処理する流れである。ＰＳＴＮ発信元からＳＩＰ-Server1へＩＮＶＩＴＥ  Ｆ1を送り、ＳＩＰ-Server1が受けとったＩＮＶＩＴＥをＳＩＰ-Server2へＩＮＶＩＴＥを送った後、ＳＩＰ-Server2から着信先（ＳＩＰ端末）にＩＮＶＩＴＥ  Ｆ3を送るかどうかをＤＢの情報を参照する。  ＤＢに事前登録の発信元情報がある場合、着信先の着信先（ＳＩＰ端末）にＩＮＶＩＴＥを送る。ＤＢに事前登録された発信元情報がない場合、録音、転送、着信拒否の処理を行う。
【符号の説明】
【００１０】
発信元は電話をかける発信側
着信先は電話をうける着信側
ＳＩＰ-Server1はキャリアのＳＩＰサーバーを想定している
ＳＩＰ-Server2は今回の発明技術を搭載しているサーバー
ＤＢ：データーベース
ＩＮＶＩＴＥ  Ｆ1,  ＩＮＶＩＴＥ  Ｆ2,  ＩＮＶＩＴＥ  Ｆ3は  処理における各段階のＩＮＶＩＴＥ情報
１、録音  
２、６０３はＳＩＰの拒否信号
３、転送
Y  ＤＢに発信元情報がある場合
N  ＤＢに発信元情報がない場合
【図１】
2010074358.tif 000003
(57)【要約】【課題】  移動可能な動物や人または物体等に発信機を装着して、受信機で受信した発信機からの信号強度を表示することにより、その位置を探索可能にする装置において、利便性を損なうことなく発信機の電池寿命を長くすることを課題とする。【解決手段】  低い周波数の電波を送信する送信機を設けて、その電波を発信機が受信できる場所では発信機が送信を休止するか、長い休止期間の間歇送信周期にして電池消耗を低減し、送信機から一定の距離以上離れて発信機で送信機からの電波を受信できない時には短い周期で送信する。前記の発信機が送信する電波は高い周波数で、送信機が送信する電波は低い周波数とする。送信機は、３次元に配置した３個のループアンテナまたはバーアンテナを切り替えながら電波を空間に輻射して、その送信電波の何れも発信機で受信できなくなると、発信機から高い周波数の電波を送信し、受信機で信号強度を表示する。【選択図】図１
2010074805.tif 000002
【特許請求の範囲】
【請求項１】
移動可能な動物や人または物体等に装着する、高い周波数の電波を送信する機能および低い周波数の電波を受信する機能を有する発信機と、その発信機から送信される電波を受信する受信機と、低い周波数の電波を送信する送信機で構成し、送信機の送信電波を受信できる範囲の場所では、発信機が高い周波数の電波を送信しないか、休止時間が長い間歇送信を行い、発信機が送信機の送信電波を受信できない場所では、発信機から高い周波数の電波を短い周期で送信して、その発信機からの電波を受信機で受信すると、発信機からの信号受信強度を表示することを特徴とする位置探索装置。
【請求項２】
前記の発信機から送信する電波が、超短波または極超短波の高い周波数で、送信機が送信する電波は超長波から中波の低い周波数範囲内とし、送信機は、３次元に配置した３個のループアンテナまたはバーアンテナを切り替えながら電波を空間に輻射して、その送信電波の何れも発信機で受信できなくなると、発信機から高い周波数の電波を短い周期で送信することを特徴とする請求項１記載の位置探索装置。
【発明の詳細な説明】
【技術分野】
【０００１】  本発明は、移動可能な動物や人または物体等に発信機を装着して、受信機で受信した発信機からの信号強度を表示することにより、その位置を探索可能にした装置に関する。
【背景技術】
【０００２】  超短波または極超短波の比較的高い周波数の電波を送信する発信機と、その電波を受信する受信機で構成し、受信機は信号強度を表示する機能を有する装置に関する。【０００３】  この装置は、受信機で表示される発信機からの信号強度が強い方向へ進んでいけば、発信機の位置に辿り着けるようにした装置で、発信機は一定周期で間歇送信して、発信機に内蔵した電池を消耗し尽くすまで使用できる。
【発明の開示】
【発明が解決しようとする課題】
【０００４】  発信機の送信休止時間を小さくして間歇送信周期を長くすると電池消耗が少なくなり、軽量で小型な装着し易い形状にできるが、探索する時に送信電波を受信する迄の待ち時間が長くて迅速な位置探索ができなくなる。【０００５】  逆に、送信休止時間を短くして間歇送信周期を速くすると、迅速な捜索が容易になるが電池消耗が大きいので、使用可能な時間が短かかったり、電池が大きく重い形状になる不都合があった。
【課題を解決するための手段】
【０００６】  課題を解決するため、請求項１の発明は、低い周波数の電波を送信する送信機を設置し、その電波を受信する機能を発信機に設けて、発信機が送信機の電波を受信できる間は発信機が送信を休止するか、長い周期の間歇送信にして電池消耗を低減し、送信機から一定以上の距離に離れた時は、短い周期で送信することにより、長期間使用可能で迅速な探索を行える発信機を構成できるようにする。【０００７】  請求項２の発明は、前記の発信機が送信する電波が超短波または極超短波の高い周波数で、送信機が送信する電波は超長波または長波の低い周波数とし、送信機は、３次元に配置した３個のループアンテナまたはバーアンテナを切り替えながら電波を周囲に輻射して、その送信電波の何れも発信機で受信できなくなると、発信機から高い周波数の電波を短い周期で送信し、受信装置でその電波を受信した信号強度を表示する。
【発明の効果】
【０００８】  発信機が送信機の近くにある時は、送信しないか休止時間が長い周期で送信して、送信機から一定の距離以上に離れた時に短い周期で送信すると、常に短い周期で送信するより電池消耗は著しく低減可能で、捜索が必要な時には迅速な探索ができるようになる。
また、送信機から送信する電波の周波数を、波長が長く低い周波数にすることで、送信する電波による周囲の電界強度は安定し、発信機が送信機からの電波を受信して一定の範囲内の距離であることを判定する精度が向上する。【０００９】  その他の効果としては、発信機が送信機から一定の距離以上に離れたことを受信機でリアルタイムに検知できるので、使用上の利便性が向上する。
【発明を実施するための最良の形態】
【実施例】
【００１０】  発明の実施の形態を実施例にもとづき図面を参照して説明する。図１は、本発明による位置探索装置の構成を示す。【００１１】  送信機１は、周囲へ低い周波数の電波を送信する。【００１２】  発信機２ａは、その送信機から送信される電波を受信できる間は、休止モードにして送信しないか、休止期間が長い間歇送信を行って、短い周期での送信は行わない。【００１３】  送信機１から送信する時のアンテナは１つのループアンテナまたはバーアンテナでも構成可能であるが、発信機との相対角度が変わると、距離と電界強度の関係も変わるので、Ｘ軸Ｙ軸Ｚ軸の各方向へ３個のアンテナを装着して切り替えながら送信すると、発信機の角度が変わっても受信される電界強度の変動が少なくなり、発信機との距離と相関関係が保ちやすい。
ループアンテナとバーアンテナは混在してもよく、合計３個で構成する【００１４】  図１の２ｂのように発信機が送信機から離れて送信機の電波を受信できない場所へ移動すると、短い周期で高い周波数の電波を送信する。
発信機から送信する電波は、小さくても能率良く輻射できる波長が短く高い周波数が適する。【００１５】  発信機から送信される短い周期の電波を、受信機で受信すると、受信機では電波の強さを表示されて、発信機とのおよその距離が分かり、発信機からの電波が強くなる方向に進めば発信機の位置を探索できる。【００１６】  この装置で使用する送信機１が送信する電波は０．００３ＭＨｚ〜３ＭＨｚ程度の範囲で、発信機が送信する高い周波数は、３０ＭＨｚ〜３０００ＭＨｚ程度の範囲が適する。
【図面の簡単な説明】
【図１】本発明による位置探索装置の実施例を示す。
【符号の説明】
１      送信機
２ａ    発信機２ａ・・・送信機の近くにある発信機
２ｂ    発信機２ｂ・・・送信機から遠くにある発信機
３      受信機
【図１】
2010074805.tif 000003
(57)【要約】【課題】  本考案はテレビ等に映し出された生物、構造物等の実際の大きさが判断できるようにするものである。【解決手段】  テレビ等に映し出された生物、構造物等が大画面の登場により実際の大きさよりもより大きく映し出されることが多くなった。そこで、画面に大きさの尺度、スケールを表示することにより映し出された物の実際の大きさを判断しやすくするものである。【選択図】図１
2010074806.tif 000002
【特許請求の範囲】
【請求項１】
テレビ画面に映し出されている物の大きさが判断しやすいように、大きさの目安となる尺度、スケールをその画面に表示する。
【発明の詳細な説明】
【技術分野】
【０００１】  テレビ等に映し出された生物、構造物等の実際の大きさが判断できるように尺度、スケールを表示するものである。
【背景技術】
【０００２】  テレビ等に映し出された生物、構造物等が大画面の登場により実際の大きさよりもより大きく映し出されることが多くなった。
【発明の開示】
【発明が解決しようとする課題】
【０００３】  テレビ等に映し出された生物、構造物等が大画面の登場により実際の大きさよりもより大きく映し出されることが多くなった。たとえば深海の生物が大きな画面一杯に映し出され、その生物は大きいものか小さいものか全く判断がつかない。
【課題を解決するための手段】
【０００４】  テレビ等に映し出された生物、構造物等が大画面の登場により実際の大きさよりもより大きく映し出されることが多くなった。そこで、画面に大きさの尺度、スケールを表示することにより映し出された物の実際の大きさを判断しやすくするものである。
【発明の効果】
【０００５】  上述のように生物、構造物等が拡大やあるいは縮小されて映し出されている画面に大きさの目安となる尺度やスケールを一緒に表示することにより、その映し出されている物の大きさが判断できる。たとえば生物の大きさが５ｍｍ程度か５ｃｍ程度か５０ｃｍ程度なのか大きさかの判断がつく。
【発明を実施するための最良の形態】
【０００６】  生物、構造物等が拡大やあるいは縮小されて映し出されている画面に大きさの目安となる尺度やスケールを一緒に表示することにより、その映し出されている物の大きさが判断できる。
【実施例】
【０００７】  以下、添付図面に従って一実施例を説明する。１は画面に大きく映し出されている小さな生物、２は画面に表示された尺度、スケール。２と１の大きさを比較することによってこの生物の大きさが約２ｃｍであることがわかる。【０００８】  ３はスケールを変更した場合。この場合には映し出されている生物の大きさは約２ｍとわかる。
【産業上の利用可能性】
【０００９】  テレビ放送の貴重な生物等の映像がより見やすくなり視聴者に正しい情報を伝えられる。
【図面の簡単な説明】
【００１０】
【図１】本考案の実施例を示す正面図である。
【図２】上述図１の尺度、スケールを変更した場合の実施例である。
【符号の説明】
１画面に大きく映し出された生物
２単位ｃｍの尺度、スケール
３単位ｍの尺度、スケール
【図１】
2010074806.tif 000003
【図２】
2010074806.tif 000004
(57)【要約】【課題】  従来のライターは小型で紛失する場合が多く、さらに使い捨てライターに至ってはその価格が安価なためか紛失する比率も高くなり、喫煙者にはまれに不憫な時がある。また、ライターの製造、廃棄に伴う資源の消費も少なくない。【解決手段】  携帯電話機の普及率が高い今日、その所有者は常に携帯電話機を所持している。その携帯電話機に使い捨てライターを収納させることにより喫煙者のライター紛失を防ぐと共に、利便性を追求した物となる。さらにライターの廃棄処理等による資源の削減というエコにもなる。【選択図】図１
2010074803.tif 000002
【特許請求の範囲】
【請求項１】
携帯電話機に使い捨てライター等の収納スペースを設けた煙草等の点火時に便利な使い捨てライター等の収納スペース付携帯電話機。
【発明の詳細な説明】
【技術分野】
【０００１】  本発明は、使い捨てライターの資源削減・ごみ削減を図った携帯電話機に関する。
【背景技術】
【０００２】  無線通信を利用した、持ち歩ける電話機である携帯電話機は所有者が常に持ち歩いている物である。【０００３】    安価な使い捨てライターは、一般小売店の店頭販売価格で税込み１００円程度で売っている。
【発明の開示】
【発明が解決しようとする課題】
【０００４】  喫煙者などは以上に述べた従来の携帯電話機とライターを別々に持ち歩くこととなり、特にライターは小型のため非常に紛失するケースが多くある。
また、安価な使い捨てライターの場合さらにその比率が高くなるケースが多く見られる。
その為、喫煙者がいざ喫煙する際にライターが無くて困るようなケースも多々見られる。【０００５】  使い捨てライターがいかに安価なものだとしても、それが製造される過程ではもちろん資源を使っていることに変わりはなく、さらにそれが廃棄されることにより発生する産業的マイナス資源は長期的・世界的に見れば大きなものとなる。【０００６】  本発明はこのような問題を解決しようとするものであり、喫煙者の利便性と産業的エコロジーを目的とするものである。
【課題を解決するための手段】
【０００７】  そして本発明は上記目的を達成するために携帯電話機に使い捨てライターを収納させるというものである。
【発明の効果】
【０００８】上述したように本発明の使い捨てライター収納スペース付携帯電話機は、ライターの紛失を無くす等の喫煙者が抱える喫煙する際の不便さを取り除くものである【０００９】  また、使い捨てライターの紛失による無駄な廃棄やそれに伴う資源を削減させるというエコロジー効果を発揮するものである。
【発明を実施するための最良の形態】
【００１０】  以下、本発明の実施の形態を図１に基づいて説明する。【００１１】  図において、Ａは使い捨てライター収納スペース付携帯電話機本体であり、１は使い捨てライターを収納するスペースである。
【産業上の利用可能性】
【００１２】    使い捨てライターの紛失減少により資源の無駄を軽減する。
【図面の簡単な説明】
【００１３】
【図１】本発明の実施形態を示す使い捨てライター収納スペース付携帯電話機を上部から見た全体図
【符号の説明】
【００１４】  Ａ  使い捨てライター収納スペース付携帯電話機
１  使い捨てライター収納スペース
【図１】
2010074803.tif 000003
(57)【要約】【課題】  従来のライターは小型で紛失する場合が多く、さらに使い捨てライターに至ってはその価格が安価なためか紛失する比率も高くなり、喫煙者にはまれに不憫な時がある。また、ライターの製造、廃棄に伴う資源の消費も少なくない。【解決手段】  携帯電話機の普及率が高い今日、その所有者は常に携帯電話機を所持している。その携帯電話機とライターを一体化させることにより喫煙者のライター紛失を防ぐと共に、利便性を追求した物となる。さらにライターの廃棄処理等による資源の削減というエコにもなる。【選択図】図１
2010074804.tif 000002
【特許請求の範囲】
【請求項１】
携帯電話機にライター機能（燃料充填可能式も含む）を付け加えた煙草等の点火時に便利なライター機能付携帯電話機。
【発明の詳細な説明】
【技術分野】
【０００１】  本発明は、使い捨てライターの資源削減・ごみ削減を図った携帯電話機に関する。
【背景技術】
【０００２】  無線通信を利用した、持ち歩ける電話機である携帯電話機は所有者が常に持ち歩いている物である。【０００３】  火をつけるための装置であるライターは、使用する燃料によってオイルライターやガスライターなどの種類がある。
安価な使い捨てライターは、一般小売店の店頭販売価格で税込み１００円程度で売っている。
【発明の開示】
【発明が解決しようとする課題】
【０００４】  喫煙者などは以上に述べた従来の携帯電話機とライターを別々に持ち歩くこととなり、特にライターは小型のため非常に紛失するケースが多くある。
また、安価な使い捨てライターの場合さらにその比率が高くなるケースが多く見られる。
その為、喫煙者がいざ喫煙する際にライターが無くて困るようなケースも多々見られる。【０００５】  使い捨てライターがいかに安価なものだとしても、それが製造される過程ではもちろん資源を使っていることに変わりはなく、さらにそれが廃棄されることにより発生する産業的マイナス資源は長期的・世界的に見れば大きなものとなる。【０００６】  本発明はこのような問題を解決しようとするものであり、喫煙者の利便性と産業的エコロジーを目的とするものである。
【課題を解決するための手段】
【０００７】  そして本発明は上記目的を達成するために携帯電話機とライター機能を一体化させるというものである。
【発明の効果】
【０００８】上述したように本発明のライター機能付携帯電話機は、ライターの紛失を無くす等の喫煙者が抱える喫煙する際の不便さを取り除くものである。【０００９】  また、使い捨てライターなどの無駄な廃棄やそれに伴う資源を削減させるというエコロジー効果を発揮するものである。
【発明を実施するための最良の形態】
【００１０】  以下、本発明の実施の形態を図１〜図２に基づいて説明する。【００１１】  図において、Ａはライター機能付携帯電話機本体であり、１と３は着火口として火の出る場所となる。
２と４は点火スイッチとして火をつける際の役割をなす。【００１２】  ５は充填口としてガスやオイルを注入する場所となる。
【産業上の利用可能性】
【００１３】  今日、様々な機能を持ち合わせた携帯電話機種が生まれる中、携帯電話会社とライター会社との提携により更なる経済市場の活性化が期待できる。
【図面の簡単な説明】
【００１４】
【図１】本発明の実施形態を示すライター機能付携帯電話機を上部から見た全体図
【図２】同電話機の下部から見た全体図
【符号の説明】
【００１５】  Ａ  ライター機能付携帯電話機本体
１  着火口
２  点火スイッチ
３  着火口
４  点火スイッチ
５  充填口
【図１】
2010074804.tif 000003
【図２】
2010074804.tif 000004